(57)【要約】    【課題】  プラズマディスプレイパネルの駆動時における発光輝度の変動を適切に制御することができるプラズマディスプレイパネルの駆動方法を提供する。    【解決手段】  サスティン期間に印加されるサスティンパルスの電圧値をプラズマディスプレイパネルについての所定の動作パラメータに応じて設定すると共にその設定後のサスティンパルスの電圧値に基づいて１フィールドの表示期間に印加されるサスティンパルス数を設定する。【選択図】  図４
2009098564.tif 000002
【特許請求の範囲】
【請求項１】
入力映像信号の１フィールドの表示期間をアドレス期間とサスティン期間とを含む複数のサブフィールドで構成して階調表示を行うプラズマディスプレイパネルの駆動方法であって、
サスティン期間に印加されるサスティンパルスの電圧値をプラズマディスプレイパネルについての所定の動作パラメータに応じて設定すると共にその設定後のサスティンパルスの電圧値に基づいて１フィールドの表示期間に印加されるサスティンパルス数を設定することを特徴とするプラズマディスプレイパネルの駆動方法。
【請求項２】
前記所定の動作パラメータとは前記プラズマディスプレイパネルの温度情報であり、前記プラズマディスプレイパネルの温度情報に基づいて前記サスティンパルスの電圧値を変更させることを特徴とする請求項１記載のプラズマディスプレイパネルの駆動方法。
【請求項３】
前記プラズマディスプレイパネルの温度情報を、所定期間当りの累積発光時間により推定することを特徴とする請求項１記載のプラズマディスプレイパネルの駆動方法。
【請求項４】
前記所定の動作パラメータとは前記プラズマディスプレイパネルの累積使用時間であり、前記プラズマディスプレイパネルの累積使用時間に基づいて前記サスティンパルスの電圧値を変更させることを特徴とする請求項１記載のプラズマディスプレイパネルの駆動方法。
【請求項５】
前記所定の動作パラメータとは前記プラズマディスプレイパネルの温度情報及び累積使用時間であり、前記プラズマディスプレイパネルの温度情報及び累積使用時間に基づいて前記サスティンパルスの電圧値を変更させることを特徴とする請求項１記載のプラズマディスプレイパネルの駆動方法。
【請求項６】
前記サスティンパルスの電圧値が所定電圧値以上に変更された場合には、その変更されたサスティンパルスの電圧値に基づいて１フィールドの表示期間に印加されるサスティンパルス数を減少させることを特徴とする請求項１乃至６のいずれか１記載のプラズマディスプレイパネルの駆動方法。
【請求項７】
前記サスティンパルスの電圧値の増加によるパネル温度の上昇分を抑制するように前記サスティンパルス数を減少させることを特徴とする請求項６記載のプラズマディスプレイパネルの駆動方法。
【発明の詳細な説明】
【技術分野】
【０００１】
本発明は、プラズマディスプレイパネルの駆動方法に関する。
【背景技術】
【０００２】
現在、薄型表示装置の表示パネルとして、ＡＣ型(交流放電型)のプラズマディスプレイパネルが知られている。プラズマディスプレイパネル内には、２枚の基板、すなわち前面ガラス基板及び背面ガラス基板が所定間隙を介して対向配置されている。表示面としての上記前面ガラス基板の内面（背面ガラス基板と対向する面）には、互いに対をなして平行に伸長する行電極対の複数がサスティン電極対として形成されている。背面ガラス基板には、行電極対と交差するように複数の列電極がアドレス電極として伸長形成され、さらに蛍光体が塗布されている。上記表示面側から見た場合、行電極対と列電極との交叉部に、画素に対応した表示セルが形成されている。
【０００３】
かかるプラズマディスプレイパネルに対して、入力映像信号に対応した中間調の表示輝度を得るべく、サブフィールド法を用いた階調駆動が実施されている。
【０００４】
サブフィールド法に基づく階調駆動では、対をなす行電極間で放電を実施すべき回数（又は期間）が夫々に割り当てられている複数のサブフィールド各々にて、１フィールド分の映像信号に対する表示駆動を実施する。各サブフィールドでは、アドレス行程と、サスティン行程とを順次実行する。アドレス行程では、入力映像信号に応じて、走査パルスを行毎に行電極対の一方の電極に印加しつつ列電極にデータパルスを印加して選択的に各表示セル内の行電極及び列電極間で選択放電を生起させて所定量の壁電荷を形成（又は消去）させる。サスティン行程では、サスティンパルスを行電極対の各々に交互に印加して所定量の壁電荷が形成されている表示セルのみを繰り返し放電させ、その放電に伴う発光状態を維持することが行われる。更に、少なくとも先頭のサブフィールドにおいて上記アドレス行程に先立ち、初期化行程を実行する。かかる初期化行程では、全ての表示セル内において、対を為す行電極間にリセットパルスを印加してリセット放電を生起させることにより全表示セル内に残留する壁電荷の量を初期化するリセット行程を実行する。
【０００５】
ところで、このようなプラズマディスプレイパネルを用いた表示装置においては、プラズマディスプレイパネルの駆動開始後、パネル温度が上昇してくると放電による発光輝度が低下することが分かっている。その輝度低下分を補うために、特許文献１には、サスティンパルスの電圧値、又はサスティンパルス数（各サブフィールドに割り当てる数）を増加させることが提案されている。また、特許文献２には、入力映像信号の輝度レベル（平均輝度レベル）が大のときには１フィールドの表示期間のサスティンパルス数を減少させることが提案されている。
【特許文献１】特許３５７１８０５号公報
【特許文献２】特開２００３−２９６９８号公報
【発明の開示】
【発明が解決しようとする課題】
【０００６】
しかしながら、プラズマディスプレイパネルの温度の上昇により、サスティンパルス電圧値を増加させる制御と、入力映像信号の輝度レベルに応じたサスティンパルス数の制御とが、個別に行われると、サスティンパルス数が多めに設定されている状態で、サスティンパルス電圧値が増加するという場合が生じてしまう。そうなると、サスティン放電電流が増大して駆動回路における電力損失が無駄に増加し、これにより駆動回路の温度上昇を招くという別の問題が生じる。
【０００７】
本発明が解決しようとする課題には、上記の問題点が一例として挙げられ、プラズマディスプレイパネルの駆動時における発光輝度の変動を適切に制御することができるプラズマディスプレイパネルの駆動方法を提供することが本発明の目的である。
【課題を解決するための手段】
【０００８】
請求項１に係る発明のプラズマディスプレイパネルの駆動方法は、入力映像信号の１フィールドの表示期間をアドレス期間とサスティン期間とを含む複数のサブフィールドで構成して階調表示を行うプラズマディスプレイパネルの駆動方法であって、サスティン期間に印加されるサスティンパルスの電圧値をプラズマディスプレイパネルについての所定の動作パラメータに応じて設定すると共にその設定後のサスティンパルスの電圧値に基づいて１フィールドの表示期間に印加されるサスティンパルス数を設定することを特徴としている。
【発明を実施するための最良の形態】
【０００９】
請求項１に係る発明のプラズマディスプレイパネルの駆動方法においては、サスティン期間に印加されるサスティンパルスの電圧値がプラズマディスプレイパネルの温度情報や累積使用時間等の所定の動作パラメータに応じて設定され、その設定によって得られたサスティンパルスの電圧値に基づいて１フィールドの表示期間に印加されるサスティンパルス数が設定される。よって、サスティン期間に印加されるサスティンパルスの電圧値が過大となると、サスティンパルス数を減少させることができるので、プラズマディスプレイパネルの温度の上昇やパネル自体の経時変化による発光輝度の変動を適切に抑制することができる。
【実施例】
【００１０】
以下、本発明の実施例を図面を参照しつつ詳細に説明する。
【００１１】
図１は本発明が適用されたプラズマディスプレイ装置を示している。このプラズマディスプレイ装置は、プラズマディスプレイパネルとしてのＰＤＰ５０、Ｘ行電極駆動回路５１、Ｙ行電極駆動回路５３、列電極駆動回路５５、駆動制御回路５６、温度センサ５７、及び累積使用時間測定回路５８を備えている。
【００１２】
ＰＤＰ５０には、２次元表示画面の縦方向（垂直方向）に各々伸張して配列された列電極Ｄ1〜Ｄm、横方向（水平方向）に各々伸張して配列された行電極Ｘ1〜Ｘn及び行電極Ｙ1〜Ｙnが形成されている。この際、互いに隣接するもの同士で対を為す行電極対（Ｙ1，Ｘ1）、（Ｙ2，Ｘ2）、（Ｙ3，Ｘ3）、・・・、（Ｙn，Ｘn）が各々、ＰＤＰ５０における第１表示ライン〜第ｎ表示ラインを担う。各表示ラインと列電極Ｄ1〜Ｄm各々との各交叉部(図１中の一点鎖線にて囲まれた領域)には、画素を担う表示セルＰＣが形成されている。すなわち、ＰＤＰ５０には、第１表示ラインに属する表示セルＰＣ1、1〜ＰＣ1、m、第２表示ラインに属する表示セルＰＣ2、1〜ＰＣ2、m、・・・・、第ｎ表示ラインに属する表示セルＰＣn、1〜ＰＣn、mの各々がマトリクス状に配列されているのである。
【００１３】
ＰＤＰ５０の列電極Ｄ1〜Ｄm各々は列電極駆動回路５５に接続され、行電極Ｘ1〜Ｘn各々はＸ行電極駆動回路５１に接続され、行電極Ｙ1〜Ｙn各々はＹ行電極駆動回路５３に接続されている。
【００１４】
駆動制御回路５６は、上記構造を有するＰＤＰ５０を図２に示す如きサブフィールド法（サブフレーム法）を採用した発光駆動シーケンスに従って、入力映像信号に応じて駆動させるべき各種制御信号をＸ行電極駆動回路５１、Ｙ行電極駆動回路５３、及び列電極駆動回路５５の各々に供給する。Ｘ行電極駆動回路５１、Ｙ行電極駆動回路５３、及び列電極駆動回路５５は、その発光駆動シーケンスに従ってＰＤＰ５０を駆動すべき各種駆動パルスを生成してＰＤＰ５０に供給する。
【００１５】
Ｘ行電極駆動回路５１はリセットパルス発生回路５１ａ及びサスティンパルス発生回路５１ｂとを有している。Ｙ行電極駆動回路５３はリセットパルス発生回路５３ａ、スキャンパルス発生回路５３ｂ及びサスティンパルス発生回路５３ｃを有している。リセットパルス発生回路５１ａ及びリセットパルス発生回路５３ａは後述のリセット行程ＲにおいてリセットパルスＲＰX，ＲＰYを各々発生して行電極Ｘ1〜Ｘn及び行電極Ｙ1〜Ｙnに印加する。スキャンパルス発生回路５３ｂは後述のアドレス行程Ｗにおいて走査パルスＳＰを行電極Ｙ1〜Ｙn各々に順次印加する。サスティンパルス発生回路５１ｂ及びサスティンパルス発生回路５３ｃは後述のサスティン行程ＩにおいてサスティンパルスＩＰX及びＩＰYを各々発生して行電極Ｘ1〜Ｘn及び行電極Ｙ1〜Ｙnに交互に印加する。サスティンパルス発生回路５１ｂ及びサスティンパルス発生回路５３ｃには、サスティンパルスＩＰX及びＩＰYの電圧を得るためにサスティン電源５９が接続されている。
【００１６】
温度センサ５７は、ＰＤＰ５０に直接又はその近傍に設けられてＰＤＰ５０の温度を検出する。
【００１７】
累積使用時間測定回路５８はＰＤＰ５０の累積使用時間を測定する。累積使用時間は、例えば、図１に示した表示装置の電源スイッチ６０のオン期間の累積である。
【００１８】
温度センサ５７によって検出されたＰＤＰ５０のパネル温度の情報、及び累積使用時間測定回路５８によって測定されたＰＤＰ５０の累積使用時間の情報は駆動制御回路５６に各々供給される。
【００１９】
図２に示す発光駆動シーケンスにおいては、１フィールド（１フレーム）の表示期間内のサブフィールドＳＦ１〜ＳＦ１２各々において、アドレス行程Ｗ及びサスティン行程Ｉを各々実行する。また、先頭のサブフィールドＳＦ１に限り、アドレス行程Ｗに先立ちリセット行程Ｒを実行する。サブフィールドＳＦ１〜ＳＦ１２のサスティン行程Ｉの期間はＳＦ１〜ＳＦ１２の順に長くされている。なお、アドレス行程Ｗが実行される期間がアドレス期間であり、サスティン行程Ｉが実行される期間がサスティン期間である。
【００２０】
図３は、サブフィールドＳＦ１〜ＳＦ１２の内からＳＦ１及びＳＦ２を抜粋して、ＰＤＰ５０の列電極Ｄ1〜Ｄm、行電極Ｘ1〜Ｘn及び行電極Ｙ1〜Ｙnに印加される各種駆動パルスの印加タイミングを示す図である。
【００２１】
先頭のサブフィールドＳＦ１においてのみアドレス行程Ｗに先立ち実施されるリセット行程Ｒでは、Ｘ行電極駆動回路５１のリセットパルス発生回路５１ａが図３に示す如き負極性のリセットパルスＲＰXを行電極Ｘ1〜Ｘnに一斉に印加する。リセットパルスＲＰXは時間経過に伴い緩やかに電圧値が上昇してピーク電圧値に至るパルス波形を有している。更に、かかるリセットパルスＲＰXの印加と同時に、Ｙ行電極駆動回路５３のリセットパルス発生回路６３ａは、図３に示す如き、リセットパルスＲＰXと同様に時間経過に伴い緩やかに電圧値が上昇してピーク電圧値に至るパルス波形であって正極性のリセットパルスＲＰYを行電極Ｙ1〜Ｙnに一斉に印加する。リセットパルスＲＰY及びリセットパルスＲＰXの同時印加により、全ての表示セルＰＣ1、1〜ＰＣn、m各々内の行電極Ｘ及びＹ間においてリセット放電が生起される。かかるリセット放電の終息後、行電極Ｘの近傍には正極性の電荷が形成され、行電極Ｙの近傍には負極性の電荷が形成される、いわゆる壁電荷の形成された状態となる。
【００２２】
次に、サブフィールドＳＦ１〜ＳＦ１２各々のアドレス行程Ｗでは、Ｙ行電極駆動回路５３のスキャンパルス発生回路５３ｂが正極性の電圧を全ての行電極Ｙ1〜Ｙnに印加しつつ、それに重畳して負極性の電圧を有する走査パルスＳＰを行電極Ｙ1〜Ｙn各々に順次印加して行く。この間、Ｘ電極駆動回路５１は、行電極Ｘ1〜Ｘn各々を０Ｖにさせる。列電極駆動回路５５は、このサブフィールドＳＦ１に対応した画素駆動データビット群ＤＢ１における各データビットをその論理レベルに応じたパルス電圧を有する画素データパルスＤＰに変換する。例えば、列電極駆動回路５５は、論理レベル０の画素駆動データビットを正極性の高電圧の画素データパルスＤＰに変換する一方、論理レベル１の画素駆動データビットを低電圧(０ボルト)の画素データパルスＤＰに変換する。そして、かかる画素データパルスＤＰを走査パルスＳＰの印加タイミングに同期して１表示ライン分(ｍ個)ずつ列電極Ｄ1〜Ｄmに印加して行く。つまり、列電極駆動回路５５は、先ず、第１表示ラインに対応したｍ個の画素データパルスＤＰからなる画素データパルス群ＤＰ1を列電極Ｄ1〜Ｄmに印加し、次に、第２表示ラインに対応したｍ個の画素データパルスＤＰからなる画素データパルス群ＤＰ2を列電極Ｄ1〜Ｄmに印加して行くのである。負極性の電圧を有する走査パルスＳＰと高電圧の画素データパルスＤＰとが同時に印加された表示セルＰＣ内の列電極Ｄ及び行電極Ｙ間において選択消去放電が生起され、表示セルＰＣ内に形成されていた壁電荷が消滅する。一方、走査パルスＳＰが印加されたものの低電圧（０ボルト）の画素データパルスＤＰが印加された表示セルＰＣ内では上記の如き選択消去放電は生起されない。よって、表示セルＰＣ内の壁電荷の形成状態が維持される。すなわち、表示セルＰＣ内に壁電荷が存在する場合にはそれがそのまま残留し、壁電荷が存在しない場合には壁電荷の非形成状態が維持される。
【００２３】
このように、選択消去アドレス法に基づくアドレス行程Ｗでは、サブフィールドに対応した画素駆動データビット群の各データビットに応じて選択的に表示セルＰＣ各々内に選択消去アドレス放電を生起させて壁電荷を消去させる。これにより、壁電荷の残留する表示セルＰＣを点灯状態、壁電荷が消去された表示セルＰＣを消灯状態に設定するのである。
【００２４】
次に、各サブフィールドのサスティン行程Ｉでは、Ｘ行電極駆動回路５１のサスティンパルス発生回路５１ｂ及びＹ行電極駆動回路５３のサスティンパルス発生回路５３ｃ各々が、交互に繰り返し正極性のサスティンパルスＩＰX及びＩＰYを行電極Ｘ1〜Ｘn及びＹ1〜Ｙnに印加する。このサスティン行程Ｉにおいて、これらサスティンパルスＩＰX及びＩＰYが印加される度に、所定量の壁電荷が形成されている上記点灯状態にある表示セルＰＣのみがサスティン放電し、この放電に伴い蛍光体層１７が発光してパネル面に画像が形成される。
【００２５】
サスティンパルスＩＰX及びＩＰYを印加する回数、すなわちサスティンパルス数は、サブフィールド毎に輝度の重み付けに依存しており、第１サブフィールド〜第１２サブフィールドの回数はＮ１〜Ｎ１２と各々初期設定されている。Ｎ１＋Ｎ２＋．．．．＋Ｎ１１＋Ｎ１２が１フィールドの表示期間の総サスティンパルス数ＮＴであり、初期値（最大パルス数）はＮmaxである。なお、Ｎ１＜Ｎ２＜．．．．＜Ｎ１１＜Ｎ１２である。総サスティンパルス数ＮＴは全ての表示セルＰＣ1、1〜ＰＣn、m各々について同一である。
【００２６】
駆動制御回路５６は、サスティンパルスＩＰX及びＩＰY各々のサスティンパルス電圧Ｖsus及び１フィールドの総サスティンパルス数ＮＴを設定する。サスティンパルス電圧Ｖsusは初期電圧Ｖintに第１及び第２補正電圧Ｖ１，Ｖ２を加算することにより設定される。総サスティンパルス数ＮＴはサスティンパルス電圧Ｖsusに応じて設定される。その具体的な設定動作を次に説明する。
【００２７】
その設定動作においては、図４に示すように、先ず、駆動制御回路５６は、入力映像信号の１フィールドの表示期間毎に温度センサ５７によって検出されたパネル温度の情報を読み取り、そのパネル温度に応じて第１補正電圧Ｖ１を設定する（ステップＳ１）。パネル温度と第１補正電圧Ｖ１との関係は例えば、図５に示す通りである。すなわち、パネル電圧が高くなるほど、第１補正電圧Ｖ１は正側に高くなる。
【００２８】
次に、駆動制御回路５６は、累積使用時間測定回路５８によって測定されたＰＤＰ５０の累積使用時間の情報を読み取り、その累積使用時間に応じて第２補正電圧Ｖ２を設定する（ステップＳ２）。累積使用時間と第２補正電圧Ｖ２との関係は例えば、図６に示す通りである。すなわち、累積使用時間が長くなるほど、第２補正電圧Ｖ２は正側に高くなる。ただし、この図６の場合には５０００時間未満では第２補正電圧Ｖ２は０Ｖの一定であり、２００００時間以上では第２補正電圧Ｖ２は約８Ｖの一定である。
【００２９】
駆動制御回路５６は、第１補正電圧Ｖ１及び第２補正電圧Ｖ２を設定すると、Ｖ１＋Ｖ２が上限値Ｖmax以上であるか否かを判別する（ステップＳ３）。Ｖ１＋Ｖ２が上限値Ｖmax以上である場合にはＶ１＋Ｖ２＝Ｖmaxのように上限値Ｖmaxに固定設定する（ステップＳ４）。例えば、Ｖmax＝８Ｖであるときに、ステップＳ１，Ｓ２においてＶ１＝４Ｖ，Ｖ２＝５Ｖの如く設定されたならば、ステップＳ４ではＶ１＋Ｖ２＝８Ｖとされる。
【００３０】
駆動制御回路５６は、サスティンパルスの初期電圧ＶintにＶ１＋Ｖ２を加算することによりサスティンパルス電圧Ｖsusを設定する（ステップＳ５）。その設定したサスティンパルス電圧Ｖsusが所定電圧値以上であるか否かを判別する（ステップＳ６）。所定電圧値より小のサスティンパルス電圧Ｖsusであるならば、総サスティンパルス数ＮＴは初期値である最大パルス数Ｎmaxとする（ステップＳ７）。一方、所定電圧値以上のサスティンパルス電圧Ｖsusであるならば、その電圧値に応じて総サスティンパルス数ＮＴを減少させる（ステップＳ８）。例えば、図７に示すように、サスティンパルス電圧Ｖsusが所定電圧値以上である場合には単位電圧ΔＶだけ上昇毎に１だけ減少のように総サスティンパルス数ＮＴが減少される。
【００３１】
サスティンパルス電圧Ｖsus及び総サスティンパルス数ＮＴを設定すると、駆動制御回路５６は、その電圧Ｖsusの出力をサスティン電源５９に指令し（ステップＳ９）、また、総サスティンパルス数ＮＴに応じて各サブフィールドのサスティンパルスＩＰX及びＩＰYの印加をサスティンパルス発生回路５１ｂ及び５３ｃに指令する（ステップＳ１０）。
【００３２】
例えば、総サスティンパルス数ＮＴがＮmaxから１だけ減った場合には、第１２サブフィールドのサスティンパルス数Ｎ１２が１だけ減らされ、総サスティンパルス数ＮＴがＮmaxから２だけ減った場合には、第１１及び第１２サブフィールド各々のサスティンパルス数Ｎ１１，Ｎ１２が１だけ減らされ、総サスティンパルス数ＮＴがＮmaxから３だけ減った場合には、第１０〜第１２サブフィールド各々のサスティンパルス数Ｎ１０〜Ｎ１２が１だけ減らされ、それ以降は同様である。
【００３３】
このように、パネル温度が上昇したり又は累積使用時間が長くなり、それによりステップＳ５で設定されるサスティンパルス電圧Ｖsusが増加される。また、その設定されたサスティンパルス電圧Ｖsusが所定電圧値以上であれば、１フィールドの表示期間における総サスティンパルス数ＮＴが減少される。よって、ＰＤＰ５０の温度の上昇時にサスティンパルス電圧Ｖsusが所定電圧値以上に増大しても１フィールドの表示期間における総サスティンパルス数ＮＴが減少されるので、発光輝度が適正に補正されると共に電力損失の増大が抑制され、Ｘ行電極駆動回路５１のサスティンパルス発生回路５１ｂ及びＹ行電極駆動回路５３のサスティンパルス発生回路５３ｃの温度上昇を抑えることができる。
【００３４】
なお、上記した実施例においては、ＰＤＰ５０のパネル温度を温度センサ５７によって検出しているが、入力映像信号に基づいて１フィールドの表示期間当たり等の所定期間当たりに発光する表示セルの数を累積してその累積数からパネル温度を推定しても良い。また、累積使用時間については、上記した表示装置のオン期間の累積に限らず、入力映像信号が供給されている時間の累積、或いは上記の所定期間当たりに発光する表示セルが発光状態にある期間を累積した時間であっても良い。
【００３５】
また、上記した実施例においては、プラズマディスプレイパネルの所定の動作パラメータとしてＰＤＰ５０のパネル温度及びＰＤＰ５０の累積使用時間の両方が採用されているが、ＰＤＰ５０のパネル温度及びＰＤＰ５０の累積使用時間のいずれか一方だけでも良い。更に、所定の動作パラメータとしては、パネル温度及び累積使用時間に限らず、駆動時に時間経過に従って変動するパラメータであれば良い。
【図面の簡単な説明】
【００３６】
【図１】本発明が適用されたプラズマディスプレイ装置の概略構成を示す図である。
【図２】発光駆動シーケンスを示す図である。
【図３】リセット行程、アドレス行程及びサスティン行程各々における各駆動パルスの印加タイミングを示す図である。
【図４】駆動制御回路の設定動作を示すフローチャートである。
【図５】パネル温度と第１補正電圧Ｖ１との関係を示す図である。
【図６】累積使用時間と第２補正電圧Ｖ２との関係を示す図である。
【図７】サスティンパルス電圧Ｖsusと総サスティンパルス数ＮＴとの関係を示す図である。
【主要部分の符号の説明】
【００３７】
５０  ＰＤＰ
５１  Ｘ行電極駆動回路
５３  Ｙ行電極駆動回路
５５  列電極駆動回路
５６  駆動制御回路
５７  温度センサ
５８  累積使用時間測定回路
【図１】
2009098564.tif 000003
【図２】
2009098564.tif 000004
【図３】
2009098564.tif 000005
【図４】
2009098564.tif 000006
【図５】
2009098564.tif 000007
【図６】
2009098564.tif 000008
【図７】
2009098564.tif 000009